(57)【要約】【課題】大型化することなくレンズ装置の外部から入射する不要な光を遮蔽すること。【解決手段】被覆対象レンズの外周側に位置付けられる環状部４０１と、環状部４０１の内周側に設けられて、かしめられることによって被覆対象レンズ１１３の周縁を環状部４０１に固定する複数のかしめ爪４０３（をかしめることによって形成されるかしめ部）と、環状部４０１の内周側であってかしめ爪４０３どうしの間に設けられて、撮像対象側に向かって光軸に交差する平面部４０４ａを備えたマスク支持部４０４と、を備えたことを特徴とする。これにより、被覆対象レンズ１１３を固定するかしめ部とマスク支持部４０４における平面部４０４ａとを被覆対象レンズの外周側において並べて配置することができる。【選択図】図４
2010026034.tif 000002
【特許請求の範囲】
【請求項１】
レンズの外周側に位置付けられる環状部と、
前記環状部の内周側に設けられて、かしめられることによって前記レンズの周縁を前記環状部に固定するかしめ爪と、
光軸を中心として前記かしめ爪と同一円周上における前記かしめ爪とは異なる位置に設けられて、前記光軸に交差する平面部を備えたマスク支持部と、
を備えたことを特徴とするレンズ保持枠。
【請求項２】
前記かしめ爪は、複数設けられており、
前記マスク支持部は、前記光軸を中心として前記かしめ爪と同一平面上における前記かしめ爪どうしの間に設けられていることを特徴とする請求項１に記載のレンズ保持枠。
【請求項３】
前記平面部は、前記光軸方向において、前記かしめ爪を前記レンズの周縁にかしめることによって形成されるかしめ部の前記レンズ保持枠における前記レンズの挿入口側の端部と同一、あるいは、前記かしめ部の端部よりも前記レンズ保持枠における前記レンズの挿入口側に設けられていることを特徴とする請求項１または２に記載のレンズ保持枠。
【請求項４】
前記環状部の内周面に設けられて、前記レンズの光軸方向における、前記レンズ保持枠における前記レンズの挿入口側とは反対側への移動を規制するように前記環状部の内周側に突出する位置規制部を備え、
前記かしめ爪は、前記位置規制部に設けられていることを特徴とする請求項１〜３のいずれか一つに記載のレンズ保持枠。
【請求項５】
レンズの外周に位置付けられる環状部と、当該環状部の内周側に設けられたかしめ爪を光軸方向における前記撮像対象側からかしめることによって前記レンズの周縁を前記環状部に固定する複数のかしめ部と、前記環状部の内周側であって前記かしめ部とは異なる位置に設けられるとともに前記レンズの光軸方向における前記光軸に交差する平面部を備えたマスク支持部と、を備えたレンズ保持枠と、
前記かしめ部によって周縁が前記レンズ保持枠に固定されたレンズと、
前記光軸を中心とする円の半径方向において前記平面部と略同一の幅寸法を有する環形状をなし、前記平面部に取り付けられたマスク部材と、
を備えたことを特徴とするレンズ装置。
【請求項６】
前記マスク部材は、前記光軸方向において前記レンズをかしめた状態の前記かしめ部よりも前記レンズ保持枠における前記レンズの挿入口側において前記平面部に取り付けられたことを特徴とする請求項５に記載のレンズ装置。
【請求項７】
撮像用の光電変換素子と、
前記光電変換素子に外光を入射させる請求項５または６に記載のレンズ装置と、
を備えたことを特徴とする撮像装置。
【発明の詳細な説明】
【技術分野】
【０００１】
この発明は、熱かしめを利用してレンズを固定するレンズ保持枠、当該レンズ保持枠が保持するレンズを備えたレンズ装置および当該レンズ装置を備えた撮像装置に関する。
【背景技術】
【０００２】
従来、光路上に設けられたレンズを、略円筒形状からなるレンズ保持枠によって保持するようにしたレンズ装置があった。レンズは、熱かしめなどによりレンズ保持枠の内周側において周縁がかしめられることによって固定されている。熱かしめを用いる場合、レンズの外周側に所定の空間を確保し、この空間に熱かしめ用のかしめコテを挿入した状態でレンズを固定するようにしていた。
【０００３】
このようなレンズ装置には、環形状からなるマスク部材を用いて、かしめた部分をマスク部材によって撮像対象側から覆うことによって、レンズ装置の外部から入射する不要な光を遮蔽するようにしたものがあった。このようなマスク部材の光軸方向における位置は、たとえばレンズ保持枠に設けられた光軸に直交する平面部に、光軸方向における撮像対象側からマスク部材を突き当てることによって定められる。
【０００４】
マスク部材の光軸方向における位置を定める平面部は、レンズ保持枠において、かしめコテが入り込む空間よりも外周側に設けられている。従来では、たとえば、かしめ爪の外周にマスク部材を貼り付ける凸部を設け、かしめ爪と凸部とを同時に熱かしめで変形させ、光軸方向において同一の位置となったかしめ爪と凸部とにまたがってマスク部材を貼り付けるようにしている（たとえば、下記特許文献１を参照。）。
【０００５】
【特許文献１】特開２００５−３２６４８８号公報
【発明の開示】
【発明が解決しようとする課題】
【０００６】
しかしながら、上述した従来の技術では、レンズの外周側にかしめコテが入り込む空間を設け、マスクを固定する平面部がかしめコテが入り込む空間のさらに外周側に設けられているため、レンズ装置の外部から入射する不要な光を遮蔽するためにマスク部材を設けることによってレンズ装置の外径が大きくなり、レンズ装置が大型化してしまうという問題があった。
【０００７】
また、上述した特許文献１の技術では、上記問題と同様に、かしめ爪の外周に設けられた凸部と熱かしめにより変形したかしめ爪とにまたがってマスク部材を貼り付けているため、レンズ装置の外部から入射する不要な光を遮蔽するためにマスク部材を設けることによってレンズ装置の外径が大きくなり、レンズ装置が大型化してしまうという問題があった。
【０００８】
この発明は、上述した従来技術による問題点を解消するため、大型化することなくレンズ装置の外部から入射する不要な光を遮蔽することができるレンズ保持枠、当該レンズ保持枠が保持するレンズを備えたレンズ装置および当該レンズ装置を備えた撮像装置を提供することを目的とする。
【課題を解決するための手段】
【０００９】
上述した課題を解決し、目的を達成するため、この発明にかかるレンズ保持枠は、レンズの外周側に位置付けられる環状部と、前記環状部の内周側に設けられて、かしめられることによって前記レンズの周縁を前記環状部に固定するかしめ爪と、光軸を中心として前記かしめ爪と同一円周上における前記かしめ爪とは異なる位置に設けられて、前記光軸に交差する平面部を備えたマスク支持部と、を備えたことを特徴とする。
【００１０】
この発明によれば、レンズを固定するかしめ部とマスク支持部における平面部とをレンズの外周側に配置することができる。そして、マスク支持部の平面部に環形状をなすマスク部材を取り付けることによって、レンズの外周において、かしめ部をマスク部材によって覆うことができる。
【００１１】
また、この発明にかかるレンズ保持枠は、上記の発明において、前記かしめ爪が、複数設けられており、前記マスク支持部が、前記光軸を中心として前記かしめ爪と同一平面上における前記かしめ爪どうしの間に設けられていることを特徴とする。この発明によれば、レンズを固定するかしめ部とマスク支持部における平面部とをレンズの外周側において並べて配置することができる。そして、マスク支持部の平面部に環形状をなすマスク部材を取り付けることによって、レンズの外周におけるマスク部材の取り付け位置の間でかしめ部をマスク部材によって覆うことができる。
【００１２】
また、この発明にかかるレンズ保持枠は、上記の発明において、前記平面部が、前記光軸方向において、前記かしめ爪を前記レンズの周縁にかしめることによって形成されるかしめ部の前記レンズ保持枠における前記レンズの挿入口側の端部と同一、あるいは、前記かしめ部の端部よりも前記レンズ保持枠における前記レンズの挿入口側に設けられていることを特徴とする。この発明によれば、マスク部材の安定した取り付け場所を確保することができる。
【００１３】
また、この発明にかかるレンズ保持枠は、上記の発明において、前記環状部の内周面に設けられて、前記レンズの光軸方向における、前記レンズ保持枠における前記レンズの挿入口側とは反対側への移動を規制するように前記環状部の内周側に突出する位置規制部を備え、前記かしめ爪が、前記位置規制部に設けられていることを特徴とする。この発明によれば、位置規制部によってレンズの挿入口とは反対側への移動を規制し、レンズの位置を安定させた状態で当該レンズをかしめることができる。
【００１４】
また、この発明にかかるレンズ装置は、レンズの外周に位置付けられる環状部と、当該環状部の内周側に設けられたかしめ爪を光軸方向における前記撮像対象側からかしめることによって前記レンズの周縁を前記環状部に固定する複数のかしめ部と、前記環状部の内周側であって前記かしめ部とは異なる位置に設けられるとともに前記レンズの光軸方向における前記光軸に交差する平面部を備えたマスク支持部と、を備えたレンズ保持枠と、前記かしめ部によって周縁が前記レンズ保持枠に固定されたレンズと、前記光軸を中心とする円の半径方向において前記平面部と略同一の幅寸法を有する環形状をなし、前記平面部に取り付けられたマスク部材と、を備えたことを特徴とする。
【００１５】
この発明によれば、レンズを固定するかしめ部とマスク支持部における平面とをレンズの外周側に配置することができる。そして、マスク支持部の平面部に環形状をなすマスク部材を取り付けることによって、レンズの外周において、かしめ部をマスク部材によって覆うことができる。
【００１６】
また、この発明にかかるレンズ装置は、上記の発明において、前記マスク部材が、前記光軸方向において前記レンズをかしめた状態の前記かしめ部よりも前記レンズ保持枠における前記レンズの挿入口側において前記平面部に取り付けられたことを特徴とする。この発明によれば、マスク部材を安定して取り付けることができる。
【００１７】
また、この発明にかかる撮像装置は、撮像用の光電変換素子と、前記光電変換素子に外光を入射させる上記のレンズ装置と、を備えたことを特徴とする。この発明によれば、大型化することなくレンズ装置の外部から入射する不要な光を遮蔽することができるレンズ装置を備えた撮像装置を提供することができる。
【発明の効果】
【００１８】
本発明にかかるレンズ保持枠、レンズ装置および撮像装置によれば、レンズの外周においてレンズを固定するかしめ部の配設に要する寸法を確保するだけで、マスク部材を固定するとともにかしめ部をマスク部材によって覆うことができるという効果を奏する。これによって、大型化することなくレンズ装置の外部から入射する不要な光を遮蔽することができる。
【発明を実施するための最良の形態】
【００１９】
以下に添付図面を参照して、この発明にかかるレンズ保持枠、レンズ装置および撮像装置の好適な実施の形態を詳細に説明する。
【００２０】
まず、この発明にかかる実施の形態のレンズ装置について説明する。図１は、この発明にかかる実施の形態のレンズ装置を示す断面図である。図１においては、この発明にかかる実施の形態のレンズ装置を、光軸を通り光軸に平行な平面で切断した断面を示している。図１において、この発明にかかる実施の形態のレンズ装置１００は、鏡筒１０１を備えている。
【００２１】
鏡筒１０１は、略円筒形状からなり、接眼側および対物側となる端部には鏡筒１０１の内部を外部に開放する開口１０２、１０３が設けられている。鏡筒１０１は、接眼側となる端部に設けられた開口１０３を図示を省略する撮像装置本体に対向させた状態で、当該撮像装置本体に取り付けられる。
【００２２】
撮像装置本体内には、撮像用の光電変換素子すなわち撮像素子が配置されている。撮像素子は、レンズ装置１００を介して入射した外光を光電変換し、入射光量に応じた電気信号を出力する。撮像素子は、具体的には、たとえばＣＣＤイメージセンサ（Ｃｈａｒｇｅ  Ｃｏｕｐｌｅｄ  Ｄｅｖｉｃｅ  Ｉｍａｇｅ  Ｓｅｎｓｏｒ）やＣＭＯＳイメージセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの固体撮像素子によって実現することができる。
【００２３】
鏡筒１０１の内周側には複数（この実施の形態においては５つ）のレンズ群１０４、１０５、１０６、１０７、１０８が設けられている。複数のレンズ群１０４、１０５、１０６、１０７、１０８は、対物側から順に、第１レンズ群１０４、第２レンズ群１０５、第３レンズ群１０６、第４レンズ群１０７、および、第５レンズ群１０８の順に配列されている。
【００２４】
複数のレンズ群のうち、もっとも対物側に設けられた第１レンズ群１０４は、第１レンズ枠１０９と、当該第１レンズ枠１０９に保持された第１レンズ１１０と、によって構成されている。第１レンズ１１０は、１つのレンズであってもよいし、複数のレンズであってもよい。この実施の形態における第１レンズ１１０は、光軸方向に配列された複数のレンズによって構成されている。
【００２５】
第１レンズ枠１０９は、鏡筒本体１１１の撮像対象側に取り付けられた略円筒形状からなり、鏡筒本体１１１とともに鏡筒１０１を構成する。第１レンズ枠１０９は鏡筒本体１１１に固定されており、これにより第１レンズ群１０４は鏡筒１０１に対する位置が固定されている。レンズ装置１００は、第１レンズ群１０４、第３レンズ群１０６および第４レンズ群１０７の光軸方向における位置を固定した状態で、第２レンズ群１０５および第５レンズ群１０８を光軸方向に移動させることによって、変倍をおこなうとともに撮像装置が備えた撮像素子に対する焦点位置を調整する。
【００２６】
第１レンズ枠１０９には、マスク部材１１２が設けられている。マスク部材１１２は、環形状からなる。マスク部材１１２は、第１レンズ群１０４が備える複数の第１レンズ１１０のうち、符号１１３で示される被覆対象レンズの外周部に位置するように設けられている。被覆対象レンズ１１３は熱かしめによって第１レンズ枠１０９に固定されており、マスク部材１１２は被覆対象レンズ１１３の外周部分を撮像対象側から覆っている。
【００２７】
マスク部材１１２によって被覆対象レンズ１１３の外周部分を撮像対象側から覆うことによって、被覆対象レンズ１１３の取り付け部分がレンズ装置１００の撮像対象側から見えなくなるので、レンズ装置１００の美観の向上を図ることができる。第１レンズ群１０４において、熱かしめによって第１レンズ枠１０９に固定されたレンズが複数存在する場合、マスク部材１１２はもっとも撮像対象側のかしめ部分を覆う位置に設けるようにしてもよい。マスク部材１１２およびマスク部材１１２の取り付け構造については後述する。
【００２８】
第２レンズ群１０５は、第２レンズ枠１１４と、当該第２レンズ枠１１４に保持された第２レンズ１１５と、によって構成されている。第２レンズ１１５は、１つのレンズであってもよいし、複数のレンズであってもよい。第２レンズ枠１１４は、光軸方向において、鏡筒１０１に対して相対的に移動可能に設けられている。
【００２９】
具体的には、たとえば鏡筒１０１の内周面に設けられた螺旋状の溝（雌ネジ）に、第２レンズ枠１１４の外周面に設けられた螺旋状の突起（雄ネジ）をかみ合わせた状態で、第２レンズ枠１１４に対してモータなどの回転駆動力を伝達する。これによって、螺旋状の突起（雄ネジ）が螺旋状の溝（雌ネジ）に沿って移動し、結果、モータの回転方向に応じた方向（接眼側あるいは対物側）に応じて、第２レンズ枠１１４が光軸に沿って接眼側あるいは対物側に移動する。
【００３０】
第３レンズ群１０６は、第３レンズ枠１１６と、当該第３レンズ枠１１６に保持された第３レンズ１１７と、によって構成されている。第３レンズ１１７は、１つのレンズであってもよいし、複数のレンズであってもよい。第４レンズ群１０７は、第４レンズ枠１１８と、当該第４レンズ枠１１８に保持された第４レンズ１１９と、によって構成されている。第４レンズ１１９は、１つのレンズであってもよいし、複数のレンズであってもよい。第５レンズ群１０８は、第５レンズ枠１２０と、当該第５レンズ枠１２０に保持された第５レンズ１２１と、によって構成されている。第５レンズ１２１は、１つのレンズであってもよいし、複数のレンズであってもよい。第５レンズ群１０８は、光軸方向において、鏡筒１０１に対して相対的に移動可能に設けられている。
【００３１】
鏡筒１０１内において、第２レンズ群１０５と第３レンズ群１０６との間には、光学フィルタ切り替え機構１２２が設けられている。光学フィルタ切り替え機構１２２は、複数のＮＤフィルタを備えている。複数のＮＤフィルタはターレット板に取り付けられており、複数のＮＤフィルタおよびターレット板によってターレット１２３が構成されている。
【００３２】
ターレット１２３は、鏡筒１０１内において位置固定されたターレット回転ギアを回動中心として回動可能に設けられている。光学フィルタ切り替え機構１２２においては、ターレット回転ギアを回動中心としてターレット１２３を回動させることによって、いずれか一つのＮＤフィルタを選択的に光路上に位置付けることが可能な構成とされている。ターレット１２３には複数のギアを介して図示を省略する操作レバーが設けられており、操作者の手動操作によってＮＤフィルタを切り替えることが可能な構成になっている。
【００３３】
つぎに、マスク部材１１２およびマスク部材１１２の取り付け構造について説明する。図２および図３は、マスク部材１１２およびマスク部材１１２の取り付け構造を示す説明図である。図２においてはレンズ装置１００を撮像対象側から見た状態を示しており、図３においてはマスク部材１１２およびマスク部材１１２の取り付けにかかわる部材の斜視状態を示している。
【００３４】
図２および図３において、マスク部材１１２は、第１レンズ枠１０９の内側において被覆対象レンズ１１３よりも撮像対象側に設けられており、被覆対象レンズ１１３の外周側における被覆対象レンズ１１３のかしめ部分を撮像対象側から覆っている。マスク部材１１２の外径は、第１レンズ枠１０９の内径と略同一とされている。これによって、マスク部材１１２の外周縁と第１レンズ枠１０９、すなわち鏡筒１０１の内周面との間には隙間がない状態とされている。被覆対象レンズ１１３は、第１レンズ枠１０９の内周側に設けられたかしめ爪（図５を参照）を第１レンズの外周縁にかしめることによって、第１レンズ枠１０９に固定されている。
【００３５】
図４、図５、図６、図７、図８および図９は、第１レンズ枠１０９を示す説明図である。図４においては、第１レンズを取り付ける前の第１レンズ枠１０９を撮像対象側から見た状態を示している。図５、図６および図７においては、第１レンズ枠１０９の一部を切断した状態を示している。図８においては図３に示した各部を図２におけるＡ−Ａ線で切断した断面を示しており、図９においては図３に示した各部を図２におけるＢ−Ｂ線で切断した断面を示している。
【００３６】
図４、図５、図６、図７、図８および図９において、第１レンズ枠１０９は、略円筒形状の環状部４０１を備えている。環状部４０１の内周側には、第１レンズ枠１０９における被覆対象レンズ１１３の位置を固定する段差部４０２が設けられている。段差部４０２は、光軸を中心とする環形状からなり、環状部４０１に一体成形されている。段差部４０２の内径は被覆対象レンズ１１３の外径よりも小さく、これによって撮像対象側から挿入された被覆対象レンズ１１３の接眼側への移動を規制して、被覆対象レンズ１１３の光軸方向における位置決めをおこなうことができる。この実施の形態においては、段差部４０２によって位置規制部を実現することができる。
【００３７】
段差部４０２の内径は、被覆対象レンズ１１３の外径よりも小さいものに限らない。段差部４０２の内径が被覆対象レンズ１１３の外径と同等あるいは当該外径よりも大きくてもよい。段差部４０２の内径が被覆対象レンズ１１３の外径よりも大きい場合、被覆対象レンズ１１３の調心を可能とするように、光軸に直交する方向において被覆対象レンズ１１３が移動可能に構成してもよい。
【００３８】
環状部４０１の内周側には、かしめ爪４０３が設けられている。かしめ爪４０３は複数設けられていることが好ましい。かしめ爪４０３は単数であってもよい。この実施の形態においては、３個のかしめ爪４０３が設けられている。これによって、被覆対象レンズ１１３を３箇所で固定することができるため、かしめる箇所を過剰に多くすることなく、被覆対象レンズ１１３を安定して固定することができる。かしめ爪４０３が複数設けられている場合、その数は３個に限るものではない。かしめ爪４０３の個数は、たとえば６個、９個、・・・など３の倍数個設けられていることが好ましい。ただし、かしめ爪４０３の個数は、３の倍数個に限るものではなく、２個、４個、５個、・・・など任意の個数とすることができる。
【００３９】
また、環状部４０１の内周側には、マスク支持部４０４が設けられている。マスク支持部４０４は複数設けられていることが好ましい。マスク支持部４０４は単数であってもよい。この実施の形態においては、３個のマスク支持部４０４が設けられている。これによって、マスク部材１１２を３箇所で固定することができるため、マスク支持部４０４を過剰に多くすることなく、マスク部材１１２を安定して固定することができる。マスク支持部４０４が複数設けられている場合、その数は３個に限るものではない。
【００４０】
複数のかしめ爪４０３および複数のマスク支持部４０４は、光軸を中心とする同一円周上に設けられている。また、複数のかしめ爪４０３および複数のマスク支持部４０４は、光軸を中心とする同一円周上において、交互に設けられている。複数のかしめ爪４０３および複数のマスク支持部４０４は、光軸を中心とする同一円周上において、交互に設けられているものに限らない。たとえば、かしめ爪４０３が複数個設けられている隣に１つのマスク支持部材４０４を設け、当該マスク支持部材４０４の隣にまた複数個のかしめ爪４０３を設けてもよい。
【００４１】
あるいは、マスク支持部材４０４が複数個設けられている隣に１つのかしめ爪４０３を設け、当該かしめ爪４０３の隣にまた複数個のマスク支持部材４０４を設けてもよい。また、あるいは、かしめ爪４０３とマスク支持部材４０４とが任意の複数個ずつ交互に設けられていてもよい。あるいは、かしめ爪４０３とマスク支持部材４０４とそれぞれ１個ずつ設けられていてもよい。
【００４２】
複数のかしめ爪４０３および複数のマスク支持部４０４は、段差部４０２よりも撮像対象側であって、かつ、段差部４０２よりも外周側に設けられている。この実施の形態のように、第１レンズ枠１０９の撮像対象側が被覆対象レンズ１１３の挿入口側である場合、複数のかしめ爪４０３および複数のマスク支持部４０４は、段差部４０２よりも撮像対象側に設けられているが、これに限らない。たとえば、第１レンズ枠１０９の接眼側が被覆対象レンズ１１３の挿入口側となるように構成された場合、複数のかしめ爪４０３および複数のマスク支持部４０４は、段差部４０２よりも接眼側に設けられていてもよい。このような構成により、被覆対象レンズ１１３の光軸方向における、第１レンズ保持枠１０９における被覆対象レンズ１１３の挿入口側とは反対側への移動を規制することができる。
【００４３】
複数のかしめ爪４０３および複数のマスク支持部４０４は、段差部４０２から撮像対象側に突出するように、段差部４０２に一体成形されている。すなわち、環状部４０１、段差部４０２、かしめ爪４０３およびマスク支持部４０４は単一の部材として形成されており、第１レンズ枠１０９は環状部４０１、段差部４０２、かしめ爪４０３およびマスク支持部４０４を一体的に備えた部材とされている。
【００４４】
かしめ爪４０３は、被覆対象レンズ１１３を固定する前の状態においては、先端が被覆対象レンズ１１３の端面よりも撮像対象側に突出している。つまり、かしめ爪４０３の光軸方向における長さは被覆対象レンズ１１３の外周縁における厚みよりも長く、被覆対象レンズ１１３を固定する前のかしめ爪４０３の先端は、被覆対象レンズ１１３の端面よりも撮像対象側に突出している。
【００４５】
かしめ爪４０３は、撮像対象側から挿入された第１レンズが段差部４０２によって位置が固定された状態において、図示を省略するかしめコテなどを用いて被覆対象レンズ１１３の外周縁にかしめられることによって、被覆対象レンズ１１３を環状部４０１に固定する。この実施の形態においては、かしめ爪４０３を被覆対象レンズ１１３の周縁にかしめることによって、被覆対象レンズ１１３を固定するように変形した状態のかしめ爪４０３を、以下、かしめ部６０１として説明する。
【００４６】
かしめ部６０１は、かしめる前のかしめ爪４０３の状態と比較して、撮像対象側の端部位置がかしめ爪４０３の先端よりも接眼側となるように変形している（図５および図６を参照）。かしめ爪４０３のかしめ作業に際しては、被覆対象レンズ１１３を撮像対象側から段差部４０２に突き当てる。これによって、被覆対象レンズ１１３の位置が安定した状態でかしめ爪４０３のかしめ作業をおこなうことができる。
【００４７】
マスク支持部４０４は、かしめ爪４０３どうしの間に設けられている。マスク支持部４０４は、被覆対象レンズ１１３の光軸方向における撮像対象側に向かって、光軸に交差する方向を面方向とする平面部４０４ａを備えている。平面部４０４ａの面方向は、光軸に対して直交していることが好ましい。平面部４０４ａは、光軸方向において、かしめ爪４０３を被覆対象レンズ１１３の周縁にかしめることによって形成されるかしめ部６０１の撮像対象側の端部と同一あるいはかしめ部６０１よりも撮像対象側に設けられている。
【００４８】
マスク部材１１２は、環形状からなり、接眼側の面を平面部４０４ａに突き当てた状態で、当該平面部４０４ａに取り付けられている。マスク部材１１２は、たとえば接着剤を用いて平面部４０４ａに固定されている。マスク部材１１２は、光軸を中心とする円の半径方向において平面部４０４ａと略同一あるいは若干大きい幅寸法の環形状からなる。これにより、平面部４０４ａと略同等の幅を有するかしめ部６０１を確実に覆うとともに、被覆対象レンズ１１３の開口径を確保したまま平面部４０４ａとマスク部材１１２との接触面積を確保して、マスク部材１１２を安定して固定することができる。
【００４９】
以上説明したように、この実施の形態によれば、被覆対象レンズ１１３の外周側に位置付けられる環状部４０１と、環状部４０１の内周側に設けられて、かしめられることによって被覆対象レンズ１１３の周縁を環状部４０１に固定する複数のかしめ爪４０３と、環状部４０１の内周側であってかしめ爪４０３どうしの間に設けられて、撮像対象側に向かって光軸に交差する平面部４０４ａを備えたマスク支持部４０４と、を備えたことを特徴とするため、被覆対象レンズ１１３を固定するかしめ部６０１とマスク支持部４０４における平面部とを被覆対象レンズ１１３の外周側において並べて配置することができ、かしめ爪４０３およびマスク支持部４０４を異なる円周上にそれぞれ設ける場合と比較して、環状部４０１すなわち第１レンズ枠１０９の小型化を図ることができる。
【００５０】
また、この実施の形態によれば、第１レンズ枠１０９におけるマスク支持部４０４が、光軸を中心としてかしめ爪４０３と同一円周上であって、かしめ爪４０３とは異なる位置に設けられた平面部を備えていればよい。この場合は、被覆対象レンズ１１３を固定するかしめ部６０１とマスク支持部４０４における平面部とをレンズの外周側に配置することができる。そして、マスク支持部の平面に環形状をなすマスク部材１１２を取り付けることによって、被覆対象レンズ１１３の外周において、かしめ部６０１をマスク部材１１２によって覆うことができる。
【００５１】
また、マスク支持部４０４の平面部に環形状をなすマスク部材１１２を取り付けることによって、被覆対象レンズ１１３を固定する強度を確保した上で、かしめ爪４０３およびマスク支持部４０４を異なる円周上にそれぞれ設ける場合と比較して、環状部４０１すなわち第１レンズ枠１０９の小型化を図ることができる。
【００５２】
そして、かしめ部６０１が、被覆対象レンズ１１３の外周であって光軸を中心とする同一円周上におけるマスク部材１１２の取り付け位置（平面部４０４ａ）の間に設けられているため、マスク部材１１２の取り付け位置（平面部４０４ａ）にマスク部材１１２を貼り付けることによってかしめ部６０１を覆うことができる。
【００５３】
これによって、被覆対象レンズ１１３の外周において被覆対象レンズ１１３を固定するかしめ部６０１の配設に要する寸法を確保するだけで、マスク部材１１２を固定するとともにかしめ部６０１をマスク部材１１２によって覆うことができる。このため、被覆対象レンズ１１３の外周にかしめ爪４０３をかしめるかしめコテを挿入するスペースなどを確保する必要がなく、マスク部材１１２が占めるスペースのみを確保すればよいため、大型化することなく、被覆対象レンズ１１３のかしめ部６０１を覆い、レンズ装置１００の外部から入射する不要な光を遮蔽しつつ、レンズ装置１００の美観の向上を図ることができる。
【００５４】
また、この実施の形態によれば、平面部４０４ａが、光軸方向において、かしめ爪４０３を被覆対象レンズ１１３の周縁にかしめることによって形成されるかしめ部６０１の撮像対象側の端部と同一あるいはかしめ部６０１よりも撮像対象側に設けられていることを特徴とするため、マスク部材１１２の安定した取り付け場所を確保することができる。これによって、マスク部材１１２を安定して第１レンズ枠１０９に取り付けることができ、レンズ装置１００の使用中におけるマスク部材１１２の剥離などを防止することができる。
【００５５】
また、この実施の形態によれば、平面部４０４ａが、光軸に対して直交していることを特徴とするため、マスク部材１１２を平面部４０４ａに確実に当接させ、マスク部材１１２を安定して固定することができる。これによって、マスク部材１１２をより確実に第１レンズ枠１０９に取り付けることができ、レンズ装置１００の使用中におけるマスク部材１１２の剥離などを防止することができる。
【００５６】
また、この実施の形態によれば、環状部４０１の内周面に設けられて、レンズの光軸方向における接眼側への移動を規制するように環状部４０１の内周側に突出する位置規制部の一例としての段差部４０２を備え、かしめ爪４０３が、段差部４０１に設けられていることを特徴とするため、段差部４０２によって被覆対象レンズ１１３の接眼側への移動を規制し、被覆対象レンズ１１３の位置を安定させた状態で当該被覆対象レンズ１１３をかしめることができる。これによって、被覆対象レンズ１１３を確実に第１レンズ枠１０９に取り付けることができ、レンズ装置１００の使用中における被覆対象レンズ１１３の脱離などを防止することができる。
【００５７】
また、この実施の形態によれば、上記の第１レンズ群１０４を備えたレンズ装置１００とすることにより、大型化することなく外部から入射する不要な光を遮蔽することができるレンズ装置１００を提供することができる。そして、このようなレンズ装置１００によれば、被覆対象レンズ１１３を固定するかしめ部６０１とマスク支持部４０４における平面部４０４ａとが被覆対象レンズ１１３の外周側に沿って並べて配置されているため、マスク部材１１２を平面に取り付けることによって、被覆対象レンズ１１３の外周におけるマスク部材１１２の取り付け位置の間でかしめ部６０１をマスク部材１１２によって覆うことができ、大型化することなく外部から入射する不要な光を遮蔽することができるレンズ装置１００を提供することができる。
【００５８】
また、この実施の形態によれば、撮像用の光電変換素子と、光電変換素子に外光を入射させる上記のレンズ装置１００と、を備えたことを特徴とする撮像装置とすることにより、大型化することなく外部から入射する不要な光を遮蔽することにより撮像画質の向上を図った撮像装置を提供することができる。
【産業上の利用可能性】
【００５９】
以上のように、本発明にかかるレンズ保持枠、レンズ装置および撮像装置は、熱かしめを利用してレンズを固定するレンズ保持枠、当該レンズ保持枠が保持するレンズを備えたレンズ装置および当該レンズ装置を備えた撮像装置に有用であり、特に、外部から視認可能な位置に設けられたレンズを熱かしめを利用して固定するレンズ保持枠、レンズ装置および撮像装置に適している。
【図面の簡単な説明】
【００６０】
【図１】この発明にかかる実施の形態のレンズ装置を示す断面図である。
【図２】マスク部材およびマスク部材の取り付け構造を示す説明図（その１）である。
【図３】マスク部材およびマスク部材の取り付け構造を示す説明図（その２）である。
【図４】第１レンズ枠を示す説明図（その１）である。
【図５】第１レンズ枠を示す説明図（その２）である。
【図６】第１レンズ枠を示す説明図（その３）である。
【図７】第１レンズ枠を示す説明図（その４）である。
【図８】第１レンズ枠を示す説明図（その５）である。
【図９】第１レンズ枠を示す説明図（その６）である。
【符号の説明】
【００６１】
１００  レンズ装置
１０９  第１レンズ枠
１１０  第１レンズ
１１２  マスク部材
１１３  被覆対象レンズ
４０１  環状部
４０２  段差部
４０３  かしめ爪
４０４  マスク支持部
６０１  かしめ部
【図１】
2010026034.tif 000003
【図２】
2010026034.tif 000004
【図３】
2010026034.tif 000005
【図４】
2010026034.tif 000006
【図５】
2010026034.tif 000007
【図６】
2010026034.tif 000008
【図７】
2010026034.tif 000009
【図８】
2010026034.tif 000010
【図９】
2010026034.tif 000011